(57)【要約】【課題】排水ポンプ動作時の騒音や排水機能低下をする洗濯機を実現すること。【解決手段】排水ポンプ３９のポンプケース２０は、その上部を水受け槽３下部の排水出口孔２７に水密的に取り付けられた円筒状ケース２０Ａと、円筒状ケース２０Ａの横側に配設され、ポンプ室３７を有しポンプモータ３６が取り付けられたモータケース２０Ｂと、円筒状ケース２０Ａとモータケース２０Ｂを連結し、内部に接続流路２１を有する連結ケース２０Ｃにて構成され、円筒状ケース２０Ａは、接続流路２１の高さ位置よりも下方に延設されて空間部２３を形成し、空間部２３の下部開口端に下方から着脱可能なケース蓋２４を水密的に固定するとともに、ポンプ室３７の下方側に排水ホース３５を接続する構成とすることにより、排水ポンプ３９動作時の騒音や排水機能低下を防止し、排水ポンプ３９内の異物除去も、簡単な作業でメンテナンスすることができる。【選択図】図２
2020116212.tif 000002
【特許請求の範囲】
【請求項１】
外枠と、前記外枠に支持された水受け槽と、前記水受け槽内部に回転自在に配設された洗濯物を収容する洗濯兼脱水槽と、前記洗濯兼脱水槽を回転させる駆動手段と、前記水受け槽の洗濯水を排水ホースを介して排水する排水ポンプと、を備え、前記排水ポンプは、ポンプモータとポンプケースを有し、前記ポンプケースは、下方に異物を溜める空間部を設けた洗濯機。
【請求項２】
前記空間部は、前記空間部の下部を開閉可能とした請求項１に記載の洗濯機。
【発明の詳細な説明】
【技術分野】
【０００１】
本発明は、洗い、すすぎ、脱水行程を行なう洗濯機に関する。
【背景技術】
【０００２】
従来、この種の洗濯機においては、設置環境に対応して、高所へ排水することのできる排水ポンプを搭載した構成が提案されている（例えば、特許文献１参照）。
【０００３】
図３は、特許文献１に記載された従来の洗濯機の縦断面図、図４は、同洗濯機の排水ポンプ部の要部断面図である。
【０００４】
図３において、外枠１の上部角隅より吊り棒２が、水受け槽３の下横部に接続され、水受け槽３は吊り棒２により垂下支持されている。水受け槽３は、洗濯物を収容する洗濯兼脱水槽４を回転自在に内包している。洗濯兼脱水槽４は、中央底部にパルセータ５を回転自在に配設している。水受け槽３の外底部には、モータ６、動力伝達ベルト７、動力切換機構８、排水ポンプ９が配設される。
【０００５】
外枠１の上部には、上部カバー１０を設け、給水弁１１、水位検知手段１２、排水ホース出口１３、制御装置１４などを配設している。上部カバー１０の略中央部には、開閉自在の蓋２６が配設されている。
【０００６】
給水弁１１は、洗濯兼脱水槽４内に水を給水する機能を有し、水位検知手段１２は、水受け槽３内の水位を検知する機能を有する。
【０００７】
排水ポンプ９は、水受け槽３内の洗濯水を底部の排水出口孔２７から排水ポンプ９、排水ホース１５を介して、排水ホース出口１３から機外の高所へ排水する機能を有する。
【０００８】
制御装置１４は、モータ６、動力切換機構８、給水弁１１、排水ポンプ９などを制御して、洗い、すすぎ、脱水の各行程を逐次制御する機能を有する。
【０００９】
上記構成において動作を説明する。最初に、洗濯兼脱水槽４に洗濯物と洗剤を投入して運転を開始すると、洗い行程が開始される。
【００１０】
制御装置１４は、給水弁１１を作動して洗濯兼脱水槽４内に水を給水する。洗濯兼脱水槽４には、多数の孔が設けられ、孔を介して水受け槽３と洗濯兼脱水槽４は通じており、水受け槽３と洗濯兼脱水槽４の内部に給水された水が溜まる。水位検知手段１２が所定水位を検知すると、制御装置１４が給水弁１１の給水動作を停止する。制御装置１４は、動力切換機構８をパルセータ５側に切換え、モータ６を作動させ、動力伝達ベルト７を介してパルセータ５を回転する。所定の時間や回転シーケンスに従って、モータ６でパルセータ５を回転することで洗濯物が水中で洗濯された後、モータ６を停止し、洗い行程が終了する。
【００１１】
洗い行程が終了すると、排水行程の後に中間脱水行程を行う。制御装置１４は、排水ポンプ９を作動させ、水受け槽３と洗濯兼脱水槽４内の洗濯水を、排水出口孔２７から排水ポンプ９、排水ホース１５を介して機外へ排水する。
【００１２】
次に、制御装置１４は、動力切換機構８を洗濯兼脱水槽４側に切換え、モータ６を駆動する。洗濯兼脱水槽４が動力伝達ベルト７を介して回転され、洗濯物内の水を脱水する。
脱水中は、連続または間欠的に排水ポンプ９が作動し、洗濯物から排出された水を機外へ排水する。所定の時間や回転シーケンスに従って、モータ６で洗濯兼脱水槽４を回転することで脱水行程が終了する。
【００１３】
脱水行程が終了すると、すすぎ行程を行う。すすぎ行程では、制御装置１４は、洗い行程と同様に、給水弁１１を作動して洗濯兼脱水槽４内に水を給水する。水位検知手段１２が所定水位を検知すると、制御装置１４に信号が送られて給水弁１１の給水動作を停止する。制御装置１４は、動力切換機構８をパルセータ５側に切換え、モータ６を作動させ、動力伝達ベルト７を介してパルセータ５を回転させる。所定の時間や回転シーケンスに従って、モータ６でパルセータ５を回転することにより洗濯物が水中ですすぐと、モータ６を停止し、すすぎ行程が終了する。
【００１４】
すすぎ行程が終わると、排水行程の後に最終脱水行程を行う。制御装置１４は、排水ポンプ９を作動し、水受け槽３と洗濯兼脱水槽４内の洗濯水を、排水出口孔２７から排水ポンプ９、排水ホース１５を介して機外へ排水する。
【００１５】
次に、制御装置１４は、動力切換機構８を洗濯兼脱水槽４側に切換え、モータ６を作動させる。洗濯兼脱水槽４が動力伝達ベルト７を介して回転され、洗濯物内の水が脱水される。脱水中は、連続または間欠的に排水ポンプ９が作動して洗濯物からの水を排水する。所定の時間や回転シーケンスに従って、モータ６で洗濯兼脱水槽４を回転することで最終脱水行程が終了する。
【００１６】
図４において、排水ポンプ９は、ポンプモータ１６とポンプケース１７を有し、モータ軸部に回転羽根１８が連結されており、回転羽根１８はポンプモータ１６に対して上側に配されている。
【００１７】
ポンプケース１７は、水受け槽３の下部の排水出口孔２７の真下に挿入されるように取り付けられる。
【００１８】
水受け槽３から排水された水は、ポンプケース１７内に入り、ポンプケース１７内のポンプ室１９部で回転する回転羽根１８によって排水ホース１５側に送られて、機外の高所へ排水される。
【先行技術文献】
【特許文献】
【００１９】
【特許文献１】特開２００１−１１３０８４号公報
【発明の概要】
【発明が解決しようとする課題】
【００２０】
しかしながら、前記従来の構成では、排水動作時に、洗濯物に付着した糸屑、砂などの異物が、回転羽根に引っかかって騒音を発生させたり、回転羽根の回転を阻害したり、あるいは、排水ポンプが停止した時に、高所まで配管した排水ホース内の異物が排水ポンプ内に戻って、同様の不具合を発生させ、排水機能が低下するという課題があった。
【００２１】
また、上記の不具合が発生した時には、排水ポンプ全体を取り外し、内部の砂や異物を取り除くためのメンテナンス清掃が必要であった。
【００２２】
本発明は、上記従来の課題を解決するもので、排水ポンプ動作時の騒音や排水機能の低下を抑制し得る洗濯機を提供することを目的とする。
【課題を解決するための手段】
【００２３】
前記従来の課題を解決するために、本発明の洗濯機は、外枠と、前記外枠に支持された水受け槽と、前記水受け槽内部に回転自在に配設された洗濯物を収容する洗濯兼脱水槽と、前記洗濯兼脱水槽を回転させる駆動手段と、前記水受け槽の洗濯水を排水ホースを介して排水する排水ポンプと、を備え、前記排水ポンプは、ポンプモータとポンプケースを有し、前記ポンプケースは、下方に異物を溜める空間部を設けたものである。
【００２４】
これによって、排水ポンプ動作時の騒音や排水機能低下を防止することができる。
【発明の効果】
【００２５】
本発明の洗濯機は、排水ポンプ動作時の騒音や排水機能低下を防止することができる。
【図面の簡単な説明】
【００２６】
【図１】本発明の実施の形態における洗濯機の縦断面図
【図２】同洗濯機の排水ポンプ部の要部断面図
【図３】従来の洗濯機の縦断面図
【図４】同洗濯機の排水ポンプ部の要部断面図
【発明を実施するための形態】
【００２７】
第１の発明は、外枠と、前記外枠に支持された水受け槽と、前記水受け槽内部に回転自在に配設された洗濯物を収容する洗濯兼脱水槽と、前記洗濯兼脱水槽を回転させる駆動手段と、前記水受け槽の洗濯水を排水ホースを介して排水する排水ポンプと、を備え、前記排水ポンプは、ポンプモータとポンプケースを有し、前記ポンプケースは、下方に異物を溜める空間部を設けることにより、排水ポンプ動作時の騒音や排水機能低下を防止することができる。
【００２８】
第２の発明は、特に、第１の発明の空間部は、空間部の下部を開閉可能としたことにより、排水ポンプ動作時の騒音や排水機能低下を防止し、排水ポンプ内の異物除去も、簡単な作業でメンテナンスすることができる。
【００２９】
以下、発明の実施の形態について、図面を参照しながら説明する。なお、この実施の形態によって本発明が限定されるものではない。また、従来の洗濯機と同じ構成の部分は同一符号を付して説明を省略する。
【００３０】
（実施の形態１）
図１は、本発明の実施の形態における洗濯機の縦断面図、図２は、同洗濯機の排水ポンプ部の要部断面図である。
【００３１】
図１、図２において、水受け槽３の外底部に排水ポンプ３９が配設されており、水受け槽３内の洗濯水を排水出口孔２７から排水ポンプ３９、排水ホース３５を介して、排水ホース出口１３から機外の高所へ排水する。
【００３２】
排水ポンプ３９は、ポンプモータ３６とポンプモータ３６に取り付けられた回転羽根３８、ポンプケース２０などから構成される。
【００３３】
ポンプケース２０は、上部を水受け槽３下部の排水出口孔２７に水密的に挿着された円筒状ケース２０Ａと、円筒状ケース２０Ａの横側に配設され、ポンプ室３７を有しポンプモータ３６が取り付けられるモータケース２０Ｂと、円筒状ケース２０Ａとモータケース２０Ｂを連結し、内部に接続流路２１を有する連結ケース２０Ｃの３区分から構成されている。
【００３４】
モータケース２０Ｂのポンプ室３７の出口部には、ゴムジョイント２２を介して排水ホース３５がポンプ室３７の下方に接続されている。円筒状ケース２０Ａは、接続流路２１よりも鉛直下方側に延設し下方に開口した空間部２３を形成している。
【００３５】
円筒状ケース２０Ａの空間部２３下部の開口端には、下方から着脱可能なケース蓋２４が設けられる。ケース蓋２４は、ゴム製で、円筒状ケース２０Ａの開口端に挿着され、金属バンド２５により水密的に固定されている。
【００３６】
なお、このケース蓋２４の材質や取り付け構造は、ねじ勘合やはめあいによるものでもよく、ケース蓋２４が水密的で着脱可能な構造であれば、本材料や取付構造に限定されるものではない。
【００３７】
以上のように構成された洗濯機について、以下、その動作、作用を説明する。
【００３８】
排水行程、脱水行程にて、排水ポンプ３９を作動すると、回転羽根３８が回転し、水受け槽３の排水出口孔２７から出た洗濯水は、円筒状ケース２０Ａから接続流路２１を通り、ポンプ室３７と排水ホース３５を介して洗濯機の機外高所へ排出される。
【００３９】
水受け槽３の水に混入する糸屑、砂などの異物は、円筒状ケース２０Ａの空間部２３に落下して溜まり、ポンプ室３７側への流れが抑制される。その結果、異物と回転羽根３８との接触による騒音の発生を抑制できる。
【００４０】
排水ポンプ３９の停止時には、ポンプ室３７内の異物は、ゴムジョイント２２や排水ホース３５最下部へと落下し、水受け槽３内の異物は空間部２３に落下する。
【００４１】
したがって、回転羽根３８周辺に糸屑、砂などの異物が溜まるのを防ぐことができ、異物が回転羽根３８とポンプモータ３６との間に挟まって、回転羽根３８の回転を阻害することもない。
【００４２】
また、排水ポンプ３９内の異物除去などのメンテナンス作業は、金属バンド２５とケース蓋２４を外すことにより、簡単に行うことができる。
【００４３】
以上のように、本実施の形態においては、排水ポンプ３９のポンプケース２０は、その上部を水受け槽３下部の排水出口孔２７に水密的に取り付けられた円筒状ケース２０Ａと、ポンプ室３７を有しポンプモータ３６が取り付けられたモータケース２０Ｂと、円筒状ケース２０Ａとモータケース２０Ｂを連結し、内部に接続流路２１を有する連結ケース２０Ｃにて構成され、円筒状ケース２０Ａは、接続流路２１の高さ位置よりも下方に延設されて空間部２３を形成し、空間部２３の下部開口端に下方から着脱可能なケース蓋２４を水密的に固定するとともに、ポンプ室３７の下方側に排水ホース３５を接続する構成とすることにより、排水ポンプ３９動作時の騒音や排水機能低下を防止し、排水ポンプ３９内の異物除去も、簡単な作業でメンテナンスすることができる。
【産業上の利用可能性】
【００４４】
本発明に係る洗濯機は、糸屑、砂などの異物による排水ポンプ動作時の騒音や排水機能低下を防止し、排水ポンプ内の異物除去も、簡単な作業でメンテナンスすることができるので、排水ポンプを搭載したドラム式など他の洗濯機の用途に適用できる。
【符号の説明】
【００４５】
１  外枠
３  水受け槽
４  洗濯兼脱水槽
６  モータ
１１  給水弁
２０  ポンプケース
２０Ａ  円筒状ケース
２０Ｂ  モータケース
２０Ｃ  連結ケース
２１  接続流路
２３  空間部
２４  ケース蓋
２７  排水出口孔
３５  排水ホース
３６  ポンプモータ
３７  ポンプ室
３８  回転羽根
３９  排水ポンプ
【図１】
2020116212.tif 000003
【図２】
2020116212.tif 000004
【図３】
2020116212.tif 000005
【図４】
2020116212.tif 000006